(57)【要約】  本発明は、互いに離隔された両面性の複数の光起電性セル又は前記セルの列によって形成される光起電性モジュール用の反射素子であって、セルの各々が、前面及び後面に向かう入射光線からの光子を捕えることができる能動前面及び能動後面を有する反射素子に関する。この素子は、隣接する２つのセル又は隣接するセルの２つの列を分離する間隙に実質的に沿ったセルの下に配置される少なくとも１つの反射性モジュールを備える。この反射性モジュールは、間隙に対して方向付けされた表面が、入射光子の全部又は一部をセルの後面に向けて送ることができるような第１の湾曲を有する第１の部分と、間隙に対して方向付けされた表面が、入射光子の全部又は一部をセルの後面に向けて送ることができるような第２の湾曲を有する、第１の部分に載置される第２の部分であって、第２の湾曲が第１の湾曲と異なる第２の部分と、を備える。
2013513938.tif 000002
【特許請求の範囲】
【請求項１】
互いに離隔された両面性の複数の光起電性セル（２）又は前記セルの列によって形成される光起電性モジュール（１）用の反射素子であって、前記セル（２）の各々が、前面（２０）及び後面（２１）に向かう入射光線からの光子を捕えることができる能動前面（２０）及び能動後面（２１）を有する反射素子において、
隣接する２つのセル（２）又は隣接するセルの２つの列を分離する間隙（２２）に実質的に沿った前記セル（２）の下に配置される少なくとも１つの反射性モジュール（４）を備え、
前記反射性モジュール（４）が、
−前記間隙（２２）に面する表面が、前記入射光子の全部又は一部を前記セル（２）の後面（２１）に向けて送ることができるような第１の湾曲を有する第１の部分（４１）と、
−前記間隙（２２）に面する表面が、前記入射光子の全部又は一部を前記セル（２）の後面（２１）に向けて送ることができるような第２の湾曲を有する、前記第１の部分（４１）に載置される第２の部分（４２）であって、前記第２の湾曲が前記第１の湾曲と異なる第２の部分と、
を備える、反射素子。
【請求項２】
前記第１及び第２の湾曲が、凹状、凸状又は平面状である、請求項１に記載の光起電性モジュール（１）用の反射素子。
【請求項３】
前記反射性モジュール（４）の第１及び第２の部分（４１、４２）の各々の表面が、入射光線に対して反射する材料で被覆される、請求項１または２に記載の光起電性モジュール（１）用の反射素子。
【請求項４】
前記反射性モジュール（４）の第１及び第２の部分（４１、４２）の各々の表面が、選択的な光学スペクトル挙動又は二機能を有する透過−反射光学挙動を有する材料で被覆される、請求項１から３の何れか一項に記載の光起電性モジュール（１）用の反射素子。
【請求項５】
前記反射性モジュール（４）の第１の部分（４１）が付けられる支持体（５）をさらに備え、前記支持体（５）が、反射性モジュール（４）がない少なくとも１つの自由領域（５０）を有し、前記自由領域（５０）が、前記セル（２）の後面（２１）に向けて及び／又は前記反射性モジュール（４）の少なくとも１つに向けて、前記入射光子の全部又は一部を送ることができる反射又は半反射材料で被覆される、請求項１から４の何れか一項に記載の光起電性モジュール（１）用の反射素子。
【請求項６】
前記反射性モジュールの支持体（５）と、前記セル（２）の後面（２１）に付けられる中間プレート（６）との間に挿入される少なくとも１つのスペーサ（７）をさらに備え、前記中間プレート（６）が、入射光線に対して透過性の材料で作られ、前記スペーサ（７）が、前記入射光線に対して反射する材料で被覆される、請求項１から５の何れか一項に記載の光起電性モジュール（１）用の反射素子。
【請求項７】
前記反射性モジュール（４）が、光起電性セル（２）の隣接する２つの列（２ａ、２ｂ）を分離する間隙に沿って配置される部分の形態である、請求項１から６の何れか一項に記載の光起電性モジュール（１）用の反射素子。
【請求項８】
前記第２の部分（４２）が、三角形の横断面を有する、請求項１から７の何れか一項に記載の光起電性モジュール（１）用の反射素子。
【請求項９】
以下の寸法特徴を有する請求項８に記載の光起電性モジュール（１）用の反射素子：
０．５Ｇ≦Ａ≦Ｇ、
Ｇ／５≦Ｄ≦０．５Ｇ、
１０°≦Ｃ≦３５°、
０．５Ｂ≦Ｆ≦２Ｂ、
Ａ≦Ｂ、
ここで、
Ａは、両面性の光起電性セルを分離する間隙を指し、
Ｂは、反射性モジュールの基部の長さを指し、
Ｇは、セルの幅であり、
Ｃは、反射性モジュールの上部又は第２の部分の収束面を分離する角度であり、
Ｆは、反射性モジュールの第１の部分の湾曲の半径であり、
Ｄは、スペーサの高さ又は支持体と中間プレートとを分離する間隙の高さである。
【請求項１０】
互いに離隔される複数の光起電性セル（２）が配置される構造体（３）によって形成される光起電性モジュール（１）であって、各々のセル（２）が、前面（２０）及び後面（２１）に向かう入射光線からの光子を捕えることができる能動前面（２０）及び能動後面（２１）を有し、前記構造体（３）が、前記セル（２）の前面（２０）に対向して前記入射光線に透過な前方プレート（３０）と、前記セル（２）の後面（２１）に対向して前記入射光線に透過な後方プレート（３１）と、前記前方プレート（３０）及び後方プレート（３１）をシーリングするためのフレーム（３２）と、によって形成され、前記光起電性モジュールが、請求項１から９の何れか一項に記載の反射素子をさらに備える、光起電性モジュール（１）。
【請求項１１】
前記反射性モジュール（４）の第１の部分（４１）が付けられる前記支持体（５）が、前記構造体（３）の後方プレート（３１）によって形成される、請求項１０に記載の光起電性モジュール。
【発明の詳細な説明】
【技術分野】
【０００１】
本発明は、光起電性セルを用いたエネルギー生成の分野に属する。本発明は、より具体的には前記セルによって捕えられる光子を最適化することに関する。このために、本発明は、光子束線を前記セルの後面に向けることができる両面性のセルを用いた光起電性モジュール用の反射素子に関する。
【背景技術】
【０００２】
一般的に、図１及び図２を参照して、光起電性モジュール１は、複数の両面性のセル２によって形成され、各々は、前面及び後面に向かう入射光放射線からの光子を捕え、電気エネルギーに変換することができる能動前面２０及び能動後面２１を有する。これらのセルは、入射放射線に透過な前方プレート３０と、後面２１に対向して配置され、前記放射線に透過な後方プレート３１と、抵抗を改善し構造体をシールするために組立体をシーリングするためのフレーム３２と、によって形成される構造体３内に前面２０に対向して配置される。
【０００３】
光起電モジュールによって生成される電力が入射光束に特に依存するので、これらの光起電性モジュールは、最大輝度の利益を享受するために、一般的に屋根に配置され、又は屋根の代わりに配置される。従って、構造体の前方プレートは、好ましくは、高い光透過係数を有し、衝撃性及び退候性である透過性材料で作られる。
【０００４】
さらに、セルが互いに離隔されて配置されるので、光子は、セルと相互作用することなく、隣接するセルを分離する間隙を介して構造体を通過する。セルの能動後面に対してこれらの失われた光子を送り戻すためにそれらを捕えることは、捕えること、従って光起電性モジュールの効率を改善するための解決方法を構成する。このように、反射プレートは、セルの後面に対向して配置され得る。この反射プレートの表面は、特に、ミラーなどの反射手段、又は、プリズム若しくはレンズなどの屈折手段が提供される。
【０００５】
例えば、文献ＵＳ６，４１０，８４３は、連続した反射プレート、すなわち構造体の後方プレートと同一の寸法を有する反射プレートの使用を提案し、その表面は、失われた光子を捕え、セルの後面に向けて送り戻すために、連続的に交互の突起と窪みの形態の粗いパッチを有する。
【０００６】
同様に、文献５，９９４，６４１は、隣接するセルを分離する間隙に対向して配置される起き上がった部分を有するテクスチャー加工された膜で反射プレートの表面を覆うことを提案し、各々の起き上がった部分は、セルに対するその位置に依存する様々な配向を有する。
【０００７】
これらの解決方法が、失われた光子をセルの後面に向けて送り戻すことを可能にするけれども、光起電性モジュール及び反射プレートによって形成された組立体は、嵩高く、扱い難く、壊れ易く、高価であり、最適化されない。
【先行技術文献】
【特許文献】
【０００８】
【特許文献１】米国特許第６，４１０，８４３号明細書
【特許文献２】米国特許第５，９９４，６４１号明細書
【発明の概要】
【発明が解決しようとする課題】
【０００９】
このような状況において、本発明の目的は、前述の制限の少なくとも１つがない他の反射素子を提案することである。本発明の特有の目的は、失われた光子の捕獲を最適化し、セルの能動後面に対してそれを戻すことができる解決方法を提案することによって、光起電性モジュールの効率を改善することである。本発明の更なる目的は、高価でなく、扱い難くない解決方法を提案することである。
【課題を解決するための手段】
【００１０】
このために、本発明は、互いに離隔された両面性の複数の光起電性セルによって形成される光起電性モジュール用の反射素子であって、セルの各々が、前面及び後面に向かう入射光線からの光子を捕えることができる能動前面及び能動後面を有する反射素子に関する。
【００１１】
本発明によれば、反射素子は、隣接するセルを分離する間隙に実質的に沿ったセルの下に配置される少なくとも１つの反射性モジュールを備え、
反射性モジュールが、
−セルを分離する間隙に面する表面が、入射光子の全部又は一部をセルの後面に向けて送ることができるような第１の湾曲を有する第１の部分と、
−間隙に面する表面が、入射光子の全部又は一部をセルの後面に向けて送ることができるような第２の湾曲を有する、第１の部分に載置される第２の部分であって、第２の湾曲が第１の湾曲と異なる第２の部分と、
を備える。
【００１２】
言い換えると、本発明の素子は、セルの下に配置される連続したテクスチャー加工された表面によって構成されないが、光起電性モジュールの隣接するセルを分離する間隙に対向して配置される１つ又はそれ以上の反射性モジュールを備える。各々の反射性モジュールは、部分の積層体を備え、その部分の各々は、光子の全部又は一部がセルの後面に向けて方向付けられることを可能にする異なる湾曲を有する。
【００１３】
従って、セルを分離する間隙に向かう光線から特に来る失われた光子は、反射性モジュールの表面の少なくとも１つに達し、セルの後面に向けて送り戻され、セルの能動後面の捕獲を大幅に増加し、従って対応する光起電性モジュールの効率を増加する。
【００１４】
有利には、第１及び第２の湾曲は、凹状、凸状又は平面状である。
【００１５】
本発明の特定の実施形態において、第１の湾曲は、凸状（入射放射線の方向に対して）であり、第２の湾曲は、平面状である。例えば、第１の部分の横断面は、半球形状であり、第２の部分の横断面は、三角形状であり得る。セルを分離する間隙に向かう光子が、セルの後面に向けて方向付けられる反射性モジュールの第１及び第２の部分に達するように、第１の部分の基部は、好ましくは第１の部分の基部より幅が広い。
【００１６】
モジュールは、例えば、金属（アルミニウム、ステンレス鋼）、又は、ＰＭＭＡなどの高分子で作られ得る。
【００１７】
モジュールが非反射材料で作られる場合、第１及び第２の部分の各々の表面は、好ましくは反射又は半反射材料で被覆される。例えば、反射材料は、アルミニウム、銀、又はクロムであり得る。３００から１２００ナノメートルの波長に対して約８０％以上の反射を得ることが特に有利である。
【００１８】
反射性モジュールの反射表面は、クロム又はアルミニウムの層を堆積することによって得られ、この薄層は、シリカ（ＳｉＯ２）の層などの、入射放射線に透過な層によって保護され得る。
【００１９】
有利には、反射性モジュールの第１及び第２の部分の各々の表面はまた、選択的な光学スペクトル挙動を有する材料で被覆され得る。例えば、前記材料は、赤外線に対して透過性であり、他の波長に対して反射性であり得る。この解決方法の利点は、ある光線をフィルタリングすることの可能性にある。例えば、ＴｉＯ２及びＳｉＯ２に基づく多層が使用され得る。
【００２０】
有利には、反射性モジュールの表面はまた、二機能を有する透過−反射挙動を有する材料で被覆され得る。
【００２１】
本発明の他の実施形態によれば、反射素子は、反射性モジュールの第１の部分が付けられる支持体をさらに備え、支持体が、反射性モジュールがない少なくとも１つの自由領域を有し、自由領域が、セルの後面に向けて及び／又は反射性モジュールの少なくとも１つに向けて、入射光子の全部又は一部を送ることができる反射又は半反射材料で被覆される。
【００２２】
実際、反射性モジュールの表面は、ミラーであり得、この領域は、拡散材料で被覆され得る。
【００２３】
本発明の他の実施形態によれば、反射素子は、反射性モジュールの支持体と、セルの後面が位置する中間プレートとの間に挿入される少なくとも１つのスペーサをさらに備える。
【００２４】
好ましくは、前記中間プレートは、入射光線の全部又は一部に対して透過性の材料で作られる。例えば、前記中間プレートは、ガラスなどの透過性材料で作られ得る。スペーサはまた、反射材料で被覆され得る。
【００２５】
有利には、反射性モジュールによって被覆された前記支持体の領域は、光放射線からの光子の全部又は一部を通過させることができる材料、例えば透過性又は半透過性材料で作られる。
【００２６】
実際に、反射素子は、各々が隣接するセルを分離する間隙に沿って配置される複数の反射性モジュールを備え、反射性モジュールは、支持体に位置し、隣接する２つの反射性モジュールは、スペーサによって分離される。反射性モジュールの表面は、選択的な光学スペクトル挙動を有する材料で被覆され得、支持体及び中間プレートは、ガラスなどの透過性材料で作られ得、スペーサ及び自由領域は、反射膜で被覆され得る。例えば、各々の反射性モジュールは、家庭用水又は空気を加熱するために、支持体の下に配置される熱交換装置に結合され得る。
【００２７】
反射性モジュールは、光起電性セルの隣接する２つの列を分離する間隙に対向して配置される部分であり得る。
【００２８】
本発明はまた、互いに離隔される複数の両面性の光起電性セルが配置される構造体によって形成される光起電性モジュールであって、各々のセルが、前面及び後面に向かう入射光線からの光子を捕えることができる能動前面及び能動後面を有し、前記構造体が、セルの前面に面する透過性の前方プレートと、セルの後面に面する透過性の後方プレートと、前方及び後方プレートをシーリングするためのフレームと、によって形成される光起電性モジュールに関する。本発明による光起電性モジュールは、前記されたような反射素子をさらに備える。
【００２９】
有利には、反射性モジュールの第１の部分が位置する支持体は、構造体の後方プレートによって形成される。
【図面の簡単な説明】
【００３０】
【図１】図１は、光起電性モジュールの概略平面図である。
【図２】図２は、軸ＡＡ’に沿って与えられる、図１における光起電性モジュールの概略断面図である。
【図３】図３は、本発明の第１の実施形態による光起電性モジュールに組み込まれる反射素子の部分概略断面図である。
【図４】図４は、本発明の第２の実施形態による光起電性モジュールに組み込まれる反射素子の部分概略断面図である。
【図５】図５は、他の実施形態による反射素子を備える光起電性モジュールの前面の部分概略図である。
【図６】図６は、図５の光起電性モジュールの概略断面図である。
【図７】図７は、本発明の他の実施形態による熱交換装置が提供された光起電性モジュールの概略断面図である。
【発明を実施するための形態】
【００３１】
本発明の他の特徴及び利点は、添付された図面を参照して、開示目的で限定的ではなく以下に与えられる詳細な説明から明らかになるだろう。
【００３２】
光起電性モジュールは、特に、構造体３内に互いに離隔して配置されるように配置された複数の光起電性セル２を備える。各々の両面性のセルは、前面２０及び後面２１に向かう入射光線から光子を捕え、それらを電気に変換する能動前面２０及び能動後面２１を有する。構造体３は、前面２０に対向して配置され、入射放射線に対して透過性の前方プレート３０と、後面２１に対向して配置され、適切な反射素子によって反射された放射線に対して透過性の後方プレート３１と、抵抗を改善し、構造体をシールするために組立体をシーリングするためのフレーム３２とで形成される。
【００３３】
隣接するセル２を分離する間隙２２のために、これらの間隙２２に向かう入射光線からの光子は、セル２と相互作用せず、従って、これらの光子は失われる。これらの失われた光子をセル２の後面２１に送り戻すために、光起電性モジュールは、特に、隣接するセル２を分離する間隙２２に実質的に沿ってセル２の下に配置され、複数の反射性モジュール４を備える反射素子を備える。各々の反射性モジュールは、２つの部分４１、４２の積層体を備え、それらの部分の各々は、反射材料又は半反射材料で被覆され得、異なる湾曲を有し得、光子の全部又は一部は、セル２の後面２１に向かって方向付けられることができるようになる。
【００３４】
図３及び図４に示されるように、反射性モジュール４は、特に以下を備える：
−間隙２２に面する表面が、入射光線の全部又は一部をセル２の後面２１に向けて間隙２２を通過させるような第１の湾曲を有する第１の部分４１であって、この湾曲が、２つの湾曲の中心を有することができる第１の部分４１：
−間隙２２に面する表面が、入射光線の全部又は一部をセル２の後面２１に向けて送るような第２の湾曲を有し、第１の部分４１に載置される第２の部分であって、第２の湾曲が第１の湾曲と異なる第２の部分。
【００３５】
第１の湾曲は、入射光束の方向に対して凸状であり、第１の部分の横断面図が１つ又は２つの半球の形態である。さらに、第２の湾曲は、平面であり得、第２の部分の横断面図が三角形である。明らかに、第１の部分４１の基部は、第２の部分の基部より幅が広いことが好ましく、間隙２２を通過する光子が、反射性モジュール４の第１及び第２の部分４１、４２の表面に達し、セル２の後面２１に向かって方向を変えられるようになる。
【００３６】
反射性モジュールの第１及び第２の部分の各々の表面は、反射又は半反射材料で被覆される。例えば、反射材料は、アルミニウム、銀又はクロムであり得る。
【００３７】
さらに、セル２は、ガラスなどの透過性材料で作られる中間プレート６に付けられる。一方で、反射性モジュール４は、構造体３の前述の後方プレート３１によって構成され得る支持体５に付けられ、反射性モジュールは、実際には支持体５と中間プレート６との間に位置する。従って、支持体５は、セル２の後面２１に対向して配向される、あらゆる反射モジュールがない自由領域５０を有する。セル２の後面２１に向かう失われた光子の反射を改善するために、これらの自由領域５０は、反射又は拡散材料で被覆される。
【００３８】
本発明の特定の一実施形態によれば、各々の反射性モジュールは、図５に示されるように、部分の形態であり、セル２の隣接する２つの列２ａ、２ｂを分離する間隙に沿って配置される。
【００３９】
図３及び図６に示されるように、スペーサ７は、中間プレート６と支持体５との間に置かれ、組立体の結合及び機械的支持を保証する。スペーサは、好ましくは、隣接する２つの反射性モジュール間のセルの後面に対向して配置され、反射材料で被覆される。従って、失われた光子は、反射性モジュールだけでなくスペーサ及び支持体で反射し、セルの後面に向かって光子が送られる可能性を増加させる。
【００４０】
図４に示されるように、機械的な支持は、反射性モジュール４によって提供され得、中間プレート６は、前記反射性モジュールの第２の部分の上部に載り、機械的な手段によってその端部に固定される。
【００４１】
本発明の他の実施形態によれば、図７を参照して、中間プレート及び支持体は、ガラスなどの透過性材料で作られ、支持体の自由領域は、反射材料で被覆される。従って、反射性モジュールが付けられる領域は透過性であり、それによって空間を照明するために光の一部が通過させられる。
【００４２】
赤外光線に対して透過性であり、他の波長に対して反射性であるなどの選択的な光学スペクトル挙動を有する材料で各々の反射性モジュールの表面を被覆することも可能である。このフィルタリングは、水又は空気を加熱するために、反射性モジュールの少なくとも幾つかを熱回収装置８と結合するために使用される。印加された電流の関数として透過及び反射の２つの機能を有するエレクトロクロミック材料で表面を被覆することも可能である。
【００４３】
明らかに、装置が、少なくとも２つのセル又は並列セルの列を対象とし、反射性モジュールの幾何学的なパラメータが、特に光起電性モジュールの構成、特にその大きさ、その厚さ、及びセルを分離する間隙に依存する限りにおいては、反射性モジュールの形態は、好ましくは対称的である。
【００４４】
一例として、図３及び図４に従う反射性モジュールの場合において、以下の特徴が与えられる：
０．５Ｇ≦Ａ≦Ｇ、
Ｇ／５≦Ｄ≦０．５Ｇ、
１０°≦Ｃ≦３５°、
０．５Ｂ≦Ｆ≦２Ｂ、
Ａ≦Ｂ、
ここで、
−Ａは、両面性の光起電性セルを分離する間隙を指し、
−Ｂは、反射性モジュールの基部の長さを指し、
−Ｇは、セルの幅であり、
−Ｃは、反射性モジュールの上部又は第２の部分の収束面を分離する角度であり、
−Ｆは、反射性モジュールの第１の部分の湾曲の半径であり、
−Ｄは、スペーサの高さ又は支持体と中間プレートとを分離する間隙の高さである。
【００４５】
本発明の反射素子の特有の構造が、特に、失われた殆どの光子がセルの後面に向けて送り戻されることができ、結果として、光起電性モジュールの性能が大幅に増加し得、直接的に容易に実現可能であり、従って費用のかからない方式であることを意味することが、既に述べられていることから明らかである。従って、９０％を超える入射光子を回収することができる。
【００４６】
本発明の解決手段は、熱交換システムを用いて電気及び熱の両方を提供することができる多目的モジュールを生成する機会も提供する。
【符号の説明】
【００４７】
１  光起電性モジュール
２  光起電性セル
２ａ  列
２ｂ  列
３  構造体
４  反射性モジュール
５  支持体
６  中間プレート
７  スペーサ
８  熱回収装置
２０  前面
２１  後面
２２  間隙
３０  前方プレート
３１  後方プレート
３２  フレーム
４１  第１の部分
４２  第２の部分
５０  自由領域
【図１】
2013513938.tif 000003
【図２】
2013513938.tif 000004
【図３】
2013513938.tif 000005
【図４】
2013513938.tif 000006
【図５】
2013513938.tif 000007
【図６】
2013513938.tif 000008
【図７】
2013513938.tif 000009
【国際調査報告】
2013513938.tif 000010
2013513938.tif 000011
2013513938.tif 000012
2013513938.tif 000013